(57)【特許請求の範囲】
【請求項１】
バイオリン類を周囲に余裕を持って収納可能な蓋付の梱包箱本体を備え、この梱包箱本体は、底部上に、バイオリン類のエンドピンを保持するエンド側支持体と、ネック部を受ける中間支持体と、糸巻ペグを掛けるヘッド側支持体とが設けられている一方、上記中間支持体に対応する位置でネック部と蓋との間に挟み込まれる中間押え体を備えていて、エンドピン、ネック部及び糸巻ペグを介してバイオリン類を梱包箱本体内に浮かせて支持可能となっていることを特徴とするバイオリン類の梱包箱。
【請求項２】
エンド側支持体が、梱包箱本体の底部と蓋との間に挟み込まれることを特徴とする請求項１に記載のバイオリン類の梱包箱。
【請求項３】
エンド側支持体が、下部支持体と上部支持体に分割されており、下部支持体に、バイオリン類のエンドピンを上方から落とし込んで掛けられるエンドピン用凹部が形成されている一方、上部支持体の下部に、このエンドピン用凹部に嵌め込まれるエンドピン押え突出部を有することを特徴とする請求項１又は２に記載のバイオリン類の梱包箱。
【請求項４】
エンド側支持体と中間支持体と中間押え体が合成樹脂発泡体で構成されていると共に、エンド側支持体の下部支持体が、合成樹脂発泡体の支持体本体と、この本体の前面に接着された、本体より硬質の合成樹脂発泡体の補強シートとで構成されていることを特徴とする請求項３に記載のバイオリン類の梱包箱。
【請求項５】
梱包箱本体内に底板が挿入されており、前記エンド側支持体と中間支持体とヘッド側支持体とがこの底板に設けられていることを特徴とする請求項１〜４のいずれかに記載のバイオリン類の梱包箱。
【請求項６】
梱包箱本体内に収納されたバイオリン類の上から被せられ、梱包箱本体の蓋を閉じたときに、この蓋によって押さえられるカバーを備えており、中間押え体が、このカバーの下面に取り付けられていて、カバーを介してネック部と蓋との間に挟み込まれることを特徴とする請求項１〜５のいずれかに記載のバイオリン類の梱包箱。
【請求項７】
エンド側支持体が、カバーを介して蓋と底部との間に挟み込まれていることを特徴とする請求項６に記載のバイオリン類の梱包箱。
【請求項８】
バイオリン類の駒上に位置する合成樹脂発泡体製の跳ね上がり防止体が、駒との間に隙間をもってカバーの下面に取り付けられていることを特徴とする請求項６又は７に記載のバイオリン類の梱包箱。
【請求項９】
カバーが、その両側から下方に延出した内側壁を有し、この内側壁を梱包箱本体の側壁部の内側に沿って差し込むことで、梱包箱本体内に立設されることを特徴とする請求項６〜８のいずれかに記載のバイオリン類の梱包箱。
【発明の詳細な説明】
【０００１】
【発明の属する技術分野】
本発明は、特にバイオリン、ビオラ及びチェロであるバイオリン類の輸送に用いる梱包箱に関する。
【０００２】
【従来の技術】
従来、バイオリン類の梱包専用の梱包箱はなく、その輸送時には、通常の段ボール箱が使用されている。
【０００３】
【発明が解決しようとする課題】
しかしながら、バイオリン類は、高級な楽器であると同時に、損傷しやすい木製であり、しかも主要な表面は傷付きやすい塗装面となっていることから、バイオリン類を柔らかい布などでくるんで段ボール箱に入れ、周囲の隙間にバラの緩衝材を詰め込んで注意深く梱包しなければならず、梱包に手間がかかる問題がある。
【０００４】
一方、バイオリン類の形に合わせて成形した合成樹脂発泡体などの緩衝材を宛って段ボール箱内に収納することも考えられるが、緩衝材を塗装面に宛うと、緩衝材との擦れ合いによって塗装面が傷付き、価値が損なわれやすい問題がある。また、例えばメーカーから完全調整（すぐに演奏できる状態）のバイオリン類をエンドユーザーや小売店へ輸送できれば、受け取ったエンドユーザーや小売店での調整の手間を省くことができ、便利であるが、緩衝材を宛う位置や緩衝材の形状によっては、弦に不用意な力が加わり、調整が狂ってしまうことも生じる。
【０００５】
本発明は、上記従来の問題点に鑑みてなされたもので、バイオリン類を、その塗装面を傷付けたり調整を狂わせることなく、容易かつ確実に梱包することができる梱包箱を提供することを目的とする。
【０００６】
【課題を解決するための手段】
本発明は、上記目的のために、バイオリン類を周囲に余裕を持って収納可能な蓋付の梱包箱本体を備え、この梱包箱本体は、底部上に、バイオリン類のエンドピンを保持するエンド側支持体と、ネック部を受ける中間支持体と、糸巻ペグを掛けるヘッド側支持体とが設けられている一方、上記中間支持体に対応する位置でネック部と蓋との間に挟み込まれる中間押え体を備えていて、エンドピン、ネック部及び糸巻ペグを介してバイオリン類を梱包箱本体内に浮かせて支持可能となっていることを特徴とするバイオリン類の梱包箱を提供するものである。
【０００７】
本発明において、バイオリン類とは、弓で演奏される楽器で、特に共通した基本的構造を有するバイオリン、ビオラ及びチェロをいう。このバイオリン類において、エンドピンは、テールピースを固定するための部材で、紫檀や黒檀などの硬質木材や金属製で傷付きにくく、またネック部と糸巻ペグは、触ることを前提とした箇所である。本発明は、これらの箇所を用い、その他の箇所を非接触状態に浮かせて安定して支持できるようにすることで、前記目的を達成したものである。
【０００８】
上記本発明は、エンド側支持体が、梱包箱本体の底部と蓋との間に挟み込まれること、
エンド側支持体が、下部支持体と上部支持体に分割されており、下部支持体に、バイオリン類のエンドピンを上方から落とし込んで掛けられるエンドピン用凹部が形成されている一方、上部支持体の下部に、このエンドピン用凹部に嵌め込まれるエンドピン押え突出部を有すること、
エンド側支持体と中間支持体と中間押え体が合成樹脂発泡体で構成されていると共に、エンド側支持体の下部支持体が、合成樹脂発泡体の支持体本体と、この支持体本体の前面に接着された、支持体本体より硬質の合成樹脂発泡体の補強シートとで構成されていること、
梱包箱本体内に底板が挿入されており、前記エンド側支持体と中間支持体とヘッド側支持体とがこの底板に設けられていること、
梱包箱本体内に収納されたバイオリン類の上から被せられ、梱包箱本体の蓋を閉じたときに、この蓋によって押さえられるカバーを備えており、中間押え体が、このカバーの下面に取り付けられていて、カバーを介してネック部と蓋との間に挟み込まれてること、
エンド側支持体が、カバーを介して蓋と底部との間に挟み込まれていること、
バイオリン類の駒上に位置する合成樹脂発泡体製の跳ね上がり防止体が、駒との間に隙間をもってカバーの下面に取り付けられていること、
カバーが、その両側から下方に延出した内側壁を有し、この内側壁を梱包箱本体の側壁部の内側に沿って差し込むことで、梱包箱本体内に立設されること、
をその好ましい態様として含むものである。これらの好ましい態様の利益については後述する。
【０００９】
【発明の実施の形態】
以下、本発明を図面に基づいて説明する。
【００１０】
図１〜図３は、本発明に係るバイオリン類の梱包箱の一例を示す斜視図で、図１は、梱包箱本体の側壁部の一部を切欠した状態の斜視図、図２は、エンド側支持体の拡大斜視図、図３は、下面側を上にし、手前側の内側壁を外側に倒した状態のカバーの斜視図である。
【００１１】
図１に示されるように、梱包箱本体１は、バイオリン類２を周囲に余裕を持って収納できる大きさで、しかも蓋３を有している。本例における梱包箱本体１は、平面長方形の段ボール箱で、蓋３は、内側に折り倒されて梱包箱本体１を塞ぐ４枚のフラップ片となっているが、梱包箱１上に被せられる箱形のものとすることもできる。
【００１２】
梱包箱本体１の底部上には、エンド側支持体４と、中間支持体５と、ヘッド側支持体６が設けられている。これらは、梱包箱本体１の底部に直接接着などによって取り付けておくこともできるが、着脱しやすくするために、図示されるように、梱包箱本体１内の底部上に底板７を挿入することとし、この底板７に設けておくことが好ましい。このようにすると、エンド側支持体４、中間支持体５及びヘッド側支持体６を底板７と共に容易に着脱することができ、梱包箱本体１として段ボール箱を用いた場合に、使用後に当該段ボール箱を分解しやすくなる。また、底板７を低部上に挿入しておくと、底部を補強することができる。尚、本例においては、底板７も段ボールで構成されている。
【００１３】
エンド側支持体４は、梱包箱本体１の一端に位置している。また、図示されるエンド側支持体４は、下部支持体８と上部支持体９とに分割されている。
【００１４】
このエンド側支持体４について図２で更に説明すると、下部支持体８には、バイオリン類２（図１参照）のエンドピン１０を上方から落とし込んで掛けられる凹部として、エンドピン用凹部１１が形成されている。また、バイオリン類２の中でも、高級なバイオリンやビオラの場合、エンドピン１０の両側にあご当て金具（図示されていない）が突出することが多い。エンドピン用凹部１１の両側に形成されている凹部は、このあご当て金具を収容するための金具収容凹部１２で、これを設けておくことにより、あご当てが輸送途中で外れるのを防止することができる。尚、あご当て金具の突出のないバイオリン類２についての梱包用としては、この金具収容凹部１２を省略することができる。
【００１５】
上部支持体９は、その下部に、上記下部支持体８のエンドピン用凹部１１に嵌め込まれるエンドピン押え突出部１３と、金具収容凹部１２に嵌め込まれる金具押え突出部１４を有している。この上部支持体９は、エンドピン押え突出部１３と金具押え突出部１４をそれぞれエンドピン用凹部１１と金具収容凹部１２に嵌め込むことで、下部支持体８と組み合わされてエンド側支持体４を構成するものである。尚、下部支持体８の金具収容凹部１２を省略した場合、上部支持体９の金具押え突出部１４は不要である。
【００１６】
エンド側支持体４としては、図示されるような二分割されたものではなく、一体のもので、例えばエンドピン１０を差し込むことができる孔状の凹部をエンドピン用凹部１１として前面に設けたものとすることもできる。しかし、図示されるように、エンド側支持体４を下部支持体８と上部支持体９に分割し、下部支持体８に、エンドピン１０を上方から落とし込んで掛けられる凹部としてエンドピン用凹部１１を設けておくと、エンドピン１０をエンドピン用凹部１１にセットしやすくなる。また、上部支持体９にエンドピン押え突出部１３を設け、これをエンドピン用凹部１１に嵌め込むようにすると、エンドピン用凹部１１に落とし込んだエンドピン１０が揺れや衝撃で上方に跳ね上がるのを押さえることができる。
【００１７】
図示されるエンド側支持体４は、合成樹脂発泡体製で、特に下部支持体８は、合成樹脂発泡体製の支持体本体８ａと、この支持体本体８ａの前面に接着された合成樹脂発泡体の補強シート８ｂとで構成されている。補強シート８ｂを構成する合成樹脂発泡体は、支持体本体８ａを構成する合成樹脂発泡体より硬質（低発泡）のものとなっている。このような支持体本体８ａと補強シート８ｂで下部支持体８を構成すると、エンドピン用凹部１１に落とし込んだエンドピン１０の頭部が若干支持体本体８ａに沈み込み、頭部が補強シート８ｂの端縁に引っ掛かって抜け落ちにくくなる。この補強シート８ｂの係止作用をより確実にするには、エンドピン用凹部１１の下縁部に補強シート８ｂを少し張り出させておくことが好ましい。また、補強シート８ｂを設けておくと、これでエンドピン１０の軸部を受けることができ、エンドピン用凹部１１の下縁部が圧縮変形してエンドピン１０が抜け落ちやすくなるのを防止することができる。
【００１８】
エンド側支持体４は、梱包箱本体１の蓋３を閉じたときに、梱包箱本体１の底部と蓋３との間に挟み付けられる高さであることが好ましい。このようにすると、エンド側支持体４の取り付け状態を安定させることができ、特に本例のようにエンド側支持体４を分割された下部支持体８と上部支持体９で構成した場合、梱包後の両者のズレを防止しやすくなる。
【００１９】
図１に示されるように、中間支持体５は、収納するバイオリン類２のネック部１５の位置に設けられているもので、ネック部１５の下面を受けるネック部用凹部１６を有するものとなっている。ネック部用凹部１６は、ネック部１５下面の形状に対応した湾曲した凹部とすることが好ましい。また、緩衝作用が得やすいことから、本例における中間支持体５は合成樹脂発泡体で構成されている。
【００２０】
ヘッド側支持体６は、糸巻部１７の両側突き出した糸巻ペグ１８を掛ける糸巻ペグ用凹部１９を有するもので、ネック部１５先端の糸巻部１７の両側に設けられている。図示されるヘッド側支持体６は、段ボール製の底板７に切り込みを入れて立ち上げ、更に立ち上げた部分を中間部から下方に折り返した二枚重ねの立ち上げ片の上縁に糸巻ペグ用凹部１９を形成したもので、糸巻ペグ１８の軸部を糸巻ペグ用凹部１９に掛けるものとなっている。
【００２１】
本発明のバイオリン類２の梱包箱においては、上述のように、バイオリン類のエンドピン１０（図２参照）と、ネック部１５と、糸巻ペグ１８とが、それぞれエンド側支持体４と、中間支持体５と、ヘッド側支持体６とに支持され、これらの支持部を介して、バイオリン類２が梱包箱本体１内に浮かせて支持されるものとなっている。従って、バイオリン類２の塗装面を梱包材料と非接触状態とすることができる。
【００２２】
本例のように、底板７として段ボールを用い、エンド側支持体４及び中間支持体５を合成樹脂製とする場合、エンド側支持体４及び中間支持体５を底板７上に接着しても良いが、紙と合成樹脂の分別廃棄を容易にするために、底板７に切り込みを入れて立ち上げ、接着することなくこの立ち上げ片でエンド側支持体４及び中間支持体５を保持できるようにすることが好ましい。また、図示される例においては、底板７に切り込みを入れて立ち上げることでヘッド側支持体６を構成しているが、このヘッド側支持体６を合成樹脂発泡体製とすることもできる。この場合も、上記と同様にして、接着することなく保持できるようにすることが好ましい。
【００２３】
図３に示されるカバー２０は、梱包箱本体１内に収容したバイオリン類２上から被せられるもので、梱包箱本体１の蓋３を閉じたときに、この蓋３によって上から押さえられるものである。本例のカバー２０は、段ボールで構成されている。
【００２４】
カバー２０の下面には、梱包箱本体１の蓋３を閉じたときに、カバー２０を介してネック部１５と蓋３との間に挟み込まれる中間押え体２１が取り付けられている。この中間押え体２１は、合成樹脂発泡体で構成されていて、前述した中間支持体５に対応する位置に設けられており、中間支持体５との間にネック部１５を挟んで保持するものである。
【００２５】
上記中間押え体２１は、収納したバイオリン類２の上方へのズレを押さえると共に、バイオリン類２の上方に空間を維持できるようにするためのもので、カバー２０を省略して、蓋３の内面側に接着しておくこともできる。しかし、カバー２０を備えたものとすると、これによって梱包箱本体１の蓋３側を補強することができると共に、このカバー２０に切り込みを入れて立ち上げた立ち上げ片を用い、中間押え体２１を接着剤によらず保持させることができる。
【００２６】
カバー２０は、上記蓋３側の補強の点から、梱包箱本体１の開口部全体を覆うものであることが好ましい。この場合、前記エンド側支持体４を、カバー２０を介して梱包箱本体１の底部と蓋３との間に挟み込まれるものとすると、カバー２０のエンド側支持体４側が下がってバイオリン類２に接触してしまうのを防止しやすくなる。
【００２７】
カバー２０の設置安定性を高めるために、カバー２０の両側に、下方に延出した内側壁２２を設けておき、内側壁２２を梱包箱本体１の側壁部の内側に沿って差し込むことで、カバー２０を梱包箱本体１内に立設できるようにしておくことが好ましい。この内側壁２２は、カバー２０が段ボール製の場合、両側を下方に折り曲げることで形成することができる。
【００２８】
図３に示されるカバー２０の下面には、合成樹脂発泡体製の跳ね上がり防止体２３が保持されている。この跳ね上がり防止体２３は、バイオリン類２の駒２４上に位置されるもので、通常、駒２４には接触することなく、駒２４との間に隙間が持たされるものとなっている。
【００２９】
上記跳ね上がり防止体２３は必須のものではないが、これを設けておくと、収納されているバイオリン類２を上方に跳ね上げる強い衝撃が加わったときに、駒２４がこの跳ね上がり防止体２３に当接して、バイオリン類２が大きく上方にずれてしまうのを防止することができる。また、この時、駒２４上で弦を押さえることになるが、駒２４上であれば弦が大きく下方に撓んでしまうことがないので、調律の狂いを防止することができる。
【００３０】
尚、図１における２５は、スリットを介して駒２４の周りに巻き付けられる合成樹脂発泡体製の駒支持体で、万一駒２４の倒伏を生じてしまったときに表板の傷付や割れを防止するためのものである。
【００３１】
【発明の効果】
本発明は、以上説明したとおりのものであり、次の効果を奏するものである。
【００３２】
（１）エンドピン１０、ネック部１５及び糸巻ペグ１８を介してバイオリン類２を梱包箱本体１内に浮かせて安定して支持することができ、特に塗装面が周囲の梱包材料と接触することがないので、塗装面の保護に優れている。
【００３３】
（２）バイオリン類２を、上記の箇所を支持するエンド側支持体４、中間支持体５及びヘッド側支持体６の位置に合わせて梱包箱本体１内にセットするだけで、周囲にバラ緩衝材を詰める作業が不要であることから、梱包の手間を大幅に軽減することができる。
【００３４】
（３）完全調整したバイオリン類２を、輸送途中で調整に狂いを生じさせることなく、エンドユーザーや小売店へ輸送することができ、エンドユーザーや小売店での調整の手間を省略することができる。
【図面の簡単な説明】
【図１】梱包箱本体の側壁部の一部を切欠した状態の斜視図である。
【図２】エンド側支持体の拡大斜視図である。
【図３】下面側を上にし、手前側の内側壁を外側に倒した状態のカバーの斜視図である。
【符号の説明】
１    梱包箱本体
２    バイオリン類
３    蓋
４    エンド側支持体
５    中間支持体
６    ヘッド側支持体
７    底板
８    下部支持体
８ａ  支持体本体
８ｂ  補強シート
９    上部支持体
１０  エンドピン
１１  エンドピン用凹部
１２  金具収容凹部
１３  エンドピン押え突出部
１４  金具押え突出部
１５  ネック部
１６  ネック部用凹部
１７  糸巻部
１８  糸巻ペグ
１９  糸巻ペグ用凹部
２０  カバー
２１  中間押え体
２２  内側壁
２３  跳ね上がり防止体
２４  駒
２５  駒支持体
【図１】
0004685291.tif 000002
【図２】
0004685291.tif 000003
【図３】
0004685291.tif 000004